【手続補正書】
【提出日】平成18年3月3日(2006.3.3)
【手続補正１】
【補正対象書類名】明細書
【補正対象項目名】発明の名称
【補正方法】変更
【補正の内容】
【発明の名称】画像記録装置、情報処理装置及び該装置の制御方法、プリンタドライバ
【手続補正２】
【補正対象書類名】明細書
【補正対象項目名】特許請求の範囲
【補正方法】変更
【補正の内容】
【特許請求の範囲】
【請求項１】
ホスト機器から送信された記録データと制御データに基づいて記録を行い、記憶媒体が接続可能に構成された画像記録装置であって、
ホスト機器から送信された記録データを格納する受信バッファと、
前記受信バッファに格納された記録データを記録媒体に記録する記録手段と、
前記記憶媒体が接続されているか否かを検知する接続検知手段と、
前記記憶媒体に対するデータの送受信を行う記憶媒体インタフェースと、
前記ホスト機器から送信された制御データが複数部数の印刷を示す情報を含んでおり、かつ前記接続検知手段によって前記記憶媒体の接続が検知されたときに、前記受信バッファに格納された記録データを前記記憶媒体へコピーし、該コピーした記録データを用いて２部目以降の記録を行うように、前記記憶媒体インタフェースと前記記録手段とを制御する制御手段と、
を備えることを特徴とする画像記録装置。
【請求項２】
前記接続検知手段は、前記ホスト機器から前記記憶媒体が接続されているか否かの問い合わせ情報を受信したときに、該接続されているか否かを検知して、該検知結果を前記ホスト機器に知らせることを特徴とする請求項１に記載の画像記録装置。
【請求項３】
前記記憶媒体が接続されている場合で、前記ホスト機器から前記記憶媒体が使用していない容量の問い合わせ情報を受信したときに、該容量を検知し、該検知結果を前記ホスト機器に知らせる容量検知手段を更に有することを特徴とする請求項１または２に記載の画像記録装置。
【請求項４】
前記制御手段は、前記ホスト機器から送信された記録データの受信状態と、前記受信バッファに格納された記録データの前記記憶媒体への格納状態と、前記受信バッファに格納された記録データに基づく記録状態とを遷移させることを特徴とする請求項１または２に記載の画像記録装置。
【請求項５】
前記記憶媒体は、コンパクトフラッシュ、ＳＤカード、マルチメディアカードの内の少なくとも１つを含むことを特徴とする請求項３に記載の画像記録装置。
【請求項６】
記憶媒体が装着可能であり、ホスト機器から送信された記録データと制御データに基づいて記録を行う画像記録装置であって、
ホスト機器から送信された記録データを格納する受信バッファと、
前記受信バッファに格納された記録データを前記記憶媒体に格納する格納手段と、
前記記憶媒体に格納された記録データを前記画像記録装置へ転送する転送手段と、
ホスト機器から送信された指示が前記受信バッファに格納された記録データを前記記憶媒体に格納する指示であることを判断する判断手段と、
前記判断手段が、前記指示を判断した場合、前記格納手段による格納処理と、前記受信バッファから読み出した記録データに基づく１部目の記録処理を実行させる制御手段と、を備え、
前記制御手段は、前記転送手段から転送された記録データに基づき２部目以降の記録処理を実行させることを特徴とする画像記録装置。
【請求項７】
前記画像記録装置は、前記ホスト機器から前記記憶媒体についての問い合わせの情報を受信したときに、前記記憶媒体が装着されているか否かの情報と、前記記憶媒体の未使用領域に関する情報とのうちの少なくとも１つを前記ホスト機器に対して知らせることを特徴とする請求項６に記載の画像記録装置。
【請求項８】
画像記録装置に接続された情報処理装置であって、
前記画像記録装置に記憶媒体が接続されているか否かを問い合わせる接続問合手段と、
前記画像記録装置に記憶媒体が接続されている場合に、前記画像記録装置に前記記憶媒体が使用していない容量を問い合わせる容量問合手段と、
アプリケーションソフトから送信されるデータを処理して前記画像記録装置に送信する記録データを生成する生成手段と、
前記生成した記録データを前記画像記録装置に転送する転送手段と、
前記アプリケーションソフトから送信される制御データが複数部の印刷を示す情報を含んでいる場合に、前記問い合わせに応じて前記画像記録装置から返信される前記記憶媒体の使用されていない容量と前記生成された記録データの量とに応じて、前記画像記録装置に対し前記転送する記録データを前記記憶媒体に格納するか否かを指示する指示手段と、を有することを特徴とする情報処理装置。
【請求項９】
画像記録装置に接続された情報処理装置の制御方法であって、
前記画像記録装置に記憶媒体が接続されているか否かを問い合わせる接続問合工程と、
前記画像記録装置に記憶媒体が接続されている場合に、前記画像記録装置に前記記憶媒体が使用していない容量を問い合わせる容量問合工程と、
アプリケーションソフトから送信されるデータを処理して前記画像記録装置に送信する記録データを生成する生成工程と、
前記生成した記録データを前記画像記録装置に転送する転送工程と、
前記アプリケーションソフトから送信される制御データが複数部の印刷を示す情報を含んでいる場合に、前記問い合わせに応じて前記画像記録装置から返信される前記記憶媒体の使用されていない容量と、前記生成された記録データの量とに応じて、前記画像記録装置に対し前記転送する記録データを前記記憶媒体に格納するか否かを指示する指示工程と、を有することを特徴とする情報処理装置の制御方法。
【請求項１０】
情報処理装置で実行するプリンタドライバであって、
前記情報処理装置に接続される前記画像記録装置に記憶媒体が接続されているか否かを問い合わせる接続問合工程のプログラムコードと、
前記画像記録装置に記憶媒体が接続されている場合に、前記画像記録装置に前記記憶媒体が使用していない容量を問い合わせる容量問合工程のプログラムコードと、
アプリケーションソフトから送信されるデータを処理して前記画像記録装置に送信する記録データを生成する生成工程のプログラムコードと、
前記生成した記録データを前記画像記録装置に転送する転送工程のプログラムコードと、
前記アプリケーションソフトから送信される制御データが複数部の印刷を示す情報を含んでいる場合に、前記問い合わせに応じて前記画像記録装置から返信される前記記憶媒体の使用されていない容量と、前記生成された記録データの量とに応じて、前記画像記録装置に対し前記転送する記録データを前記記憶媒体に格納するか否かを指示する指示工程のプログラムコードと、を有することを特徴とするプリンタドライバ。
【手続補正３】
【補正対象書類名】明細書
【補正対象項目名】０００９
【補正方法】変更
【補正の内容】
【０００９】
【課題を解決するための手段】
上記目的を達成するための本発明の画像記録装置は以下の構成を有する。即ち、ホスト機器から送信された記録データと制御データに基づいて記録を行い、記憶媒体が接続可能に構成された画像記録装置であって、ホスト機器から送信された記録データを格納する受信バッファと、前記受信バッファに格納された記録データを記録媒体に記録する記録手段と、前記記憶媒体が接続されているか否かを検知する接続検知手段と、前記記憶媒体に対するデータの送受信を行う記憶媒体インタフェースと、前記ホスト機器から送信された制御データが複数部数の印刷を示す情報を含んでおり、かつ前記接続検知手段によって前記外部記憶媒体の接続が検知されたときに、前記受信バッファに格納された記録データを前記外部記憶媒体へコピーし、該コピーした記録データを用いて２部目以降の記録を行うように、前記記憶媒体インタフェースと前記記録手段とを制御する制御手段と、を備えることを特徴とする。また、本発明の別の画像記録装置は以下の構成を有する。即ち、記憶媒体が装着可能であり、ホスト機器から送信された記録データと制御データに基づいて記録を行う画像記録装置であって、ホスト機器から送信された記録データを格納する受信バッファと、前記受信バッファに格納された記録データを前記記憶媒体に格納する格納手段と、前記記憶媒体に格納された記録データを前記画像記録装置へ転送する転送手段と、ホスト機器から送信された指示が前記受信バッファに格納された記録データを前記記憶媒体に格納する指示であることを判断する判断手段と、前記判断手段が、前記指示を判断した場合、前記格納手段による格納処理と、受信バッファから読み出した記録データに基づく１部目の記録処理を実行させる制御手段とを備え、前記制御手段は、前記転送手段から転送された記録データに基づき２部目以降の記録処理を実行させることを特徴とする。
【手続補正４】
【補正対象書類名】明細書
【補正対象項目名】００１０
【補正方法】変更
【補正の内容】
【００１０】
上記目的を達成するための本発明の情報処理装置は以下の構成を有する。即ち、画像記録装置に接続された情報処理装置であって、前記画像記録装置に記憶媒体が接続されているか否かを問い合わせる接続問合手段と、前記画像記録装置に記憶媒体が接続されている場合に、前記画像記録装置に前記記憶媒体が使用していない容量を問い合わせる容量問合手段と、アプリケーションソフトから送信されるデータを処理して前記画像記録装置に送信する記録データを生成する生成手段と、前記生成した記録データを前記画像記録装置に転送する転送手段と、前記アプリケーションソフトから送信される制御データが複数部の印刷を示す情報を含んでいる場合に、前記問い合わせに応じて前記画像記録装置から返信される前記記憶媒体の使用されていない容量と前記生成された記録データの量とに応じて、前記画像記録装置に対し前記転送する記録データを前記記憶媒体に格納するか否かを指示する指示手段と、を有することを特徴とする。
【手続補正５】
【補正対象書類名】明細書
【補正対象項目名】００１１
【補正方法】変更
【補正の内容】
【００１１】
また、上記目的を達成するための本発明の情報処理装置の制御方法は以下の構成を有する。即ち、画像記録装置に接続された情報処理装置の制御方法であって、前記画像記録装置に記憶媒体が接続されているか否かを問い合わせる接続問合工程と、前記画像記録装置に記憶媒体が接続されている場合に、前記画像記録装置に前記記憶媒体が使用していない容量を問い合わせる容量問合工程と、アプリケーションソフトから送信されるデータを処理して前記画像記録装置に送信する記録データを生成する生成工程と、前記生成した記録データを前記画像記録装置に転送する転送工程と、前記アプリケーションソフトから送信される制御データが複数部の印刷を示す情報を含んでいる場合に、前記問い合わせに応じて前記画像記録装置から返信される前記記憶媒体の使用されていない容量と、前記生成された記録データの量とに応じて、前記画像記録装置に対し前記転送する記録データを前記記憶媒体に格納するか否かを指示する指示工程と、を有することを特徴とする。
【手続補正６】
【補正対象書類名】明細書
【補正対象項目名】００１２
【補正方法】変更
【補正の内容】
【００１２】
また、上記目的を達成するための本発明のプリンタドライバは以下の構成を有する。即ち、情報処理装置で実行するプリンタドライバであって、前記情報処理装置に接続される前記画像記録装置に記憶媒体が接続されているか否かを問い合わせる接続問合工程のプログラムコードと、前記画像記録装置に記憶媒体が接続されている場合に、前記画像記録装置に前記記憶媒体が使用していない容量を問い合わせる容量問合工程のプログラムコードと、アプリケーションソフトから送信されるデータを処理して前記画像記録装置に送信する記録データを生成する生成工程のプログラムコードと、前記生成した記録データを前記画像記録装置に転送する転送工程のプログラムコードと、前記アプリケーションソフトから送信される制御データが複数部の印刷を示す情報を含んでいる場合に、前記問い合わせに応じて前記画像記録装置から返信される前記記憶媒体の使用されていない容量と、前記生成された記録データの量とに応じて、前記画像記録装置に対し前記転送する記録データを前記記憶媒体に格納するか否かを指示する指示工程のプログラムコードと、を有することを特徴とする。